(57)【要約】      （修正有）【課題】複雑工程を経ることなく製造可能であり、自在に柄を編成可能であることからファッション性にも優れ、見た目が五本指靴下に見えにくい五本指靴下及び足袋型靴下を提供する。【解決手段】五本指靴下１０及び足袋型靴下は、通常の靴下同様の編成方法で靴下編機により編成されるものであるが、爪先部１１を更に本縫いミシンで縫製することを特徴とする。爪先部の上辺と下辺を、爪先先端に向かう方向に存する４個或るいは１個の縫製部位１２で縫製することで、５個或るいは２個の指袋１３を形成する。【選択図】図１
0003185287.tif 000002
【実用新案登録請求の範囲】
【請求項１】
靴下編機で編成され、爪先部（１２）の上下の生地を本縫ミシンにより縫製することで、該爪先部（１２）において５つの指袋（１３）を形成することを特徴とする五本指靴下。
【請求項２】
靴下編機で編成され、爪先部（１２）の上下の生地を本縫ミシンにより縫製することで、該爪先部（１２）において２つの指袋（１３）を形成することを特徴とする足袋型靴下。
【考案の詳細な説明】
【技術分野】
【０００１】
この考案は、靴下に関し、より詳しくは、つま先部分に五本の足指を各別に挿入、または足袋のように親指のみ別に挿入できるようにした五本指または足袋型靴下に関するものである。尚、ここに靴下とはフットカバー、アンクレット、短靴下、ハイソックス、オーバーニー、ストッキング、タイツ等を含む広義の概念である。
【背景技術】
【０００２】
従来、図４に示されるような、爪先部分２にそれぞれ分離した指袋４を形成し、五本の足指を各別に挿入できるようにした五本指靴下１が一般に知られている。
【０００３】
係る五本指靴下の編成方法は、１）横編み機によってすべての部位を編成する、２）靴下編機（丸編み機）によりすべての部位を編成する、３）爪先部のみ横編み機で編成し、その端面を靴下編機に目差し作業で移し替えた後、残りの部位は靴下編機で編成するという３つの方法がある。
【０００４】
上記１）の編成方法によれば指先を綺麗に編成できるが、ファッション性のある柄を入れることは難しいという難点を有する。また、編成に靴下編機を用いた場合に比べ３倍程度の時間を要するという難点もある。無地或るいは無地に近い、汎用五本指靴下は、この方法により編成れることが多い。
【０００５】
上記２）の編成方法には靴下編機で足指を編成するには時間を要し、綺麗な指部を編成するには高度な技術を要するという難点がある。
【０００６】
上記３）は前記１、２の難点を解消可能な方法であり、高級なデザイン柄五本指靴下はこの方法により編成が行われることが多い。
【０００７】
特許文献１には、縫い目によって形成された袋部を有する内布を、靴下本体の爪先部内に縫着した五本指靴下が開示されている。
【０００８】
特許文献２には、指を相互に隔てる仕切部材を、靴下本体爪先部内に装着した靴下が開示されている。
【０００９】
特許文献３には、ロックミシンによる裁断・縫製により五つの指袋が形成される五本指ストッキングが開示されている。
【先行技術文献】
【特許文献】
【００１０】
【特許文献１】特開昭６４−４０６０２号公報
【特許文献２】実開昭６２−２８８０４号公報
【特許文献３】登録実用新案公報第３１２６５６２号
【考案の概要】
【考案が解決しようとする課題】
【００１１】
上述の爪先部分は横編み機で編成し、本体部分は靴下編機で編成するという五本指靴下の編成法の場合、横編機で編成した爪先部分の編地を、靴下編機に移し替える必要がある。かかる作業は非常に面倒であり、生産スピードの点で問題が多い。
【００１２】
更には、五本の足指を各別に挿入できるように、別個の分離した袋体を形成するため、見た目がお洒落ではなく、靴を脱ぐような場面では着用しづらいという問題点もある。上記特許文献１、２記載の靴下は、いずれもかかる難点を解消するためのものであるが、製造工程が複雑であり、実際的ではない。
【００１３】
そこで本考案は、複雑工程を経ることなく靴下編機（丸編み機）で製造可能であり、自在に柄を編成可能であることからファッション性にも優れ、しかも、見た目が五本指靴下に見えにくい五本指靴下を提供することを目的とする。
【００１４】
更には、靴下編機（丸編み機）のみで製造可能であり、自在に柄を編成可能であることからファッション性にも優れ、しかも、見た目が足袋型靴下に見えにくい足袋型靴下を提供することを目的とする。
【課題を解決するための手段】
【００１５】
上記の目的を達成すべく本考案に係る五本指靴下は、靴下編機のみで編成すると共に爪先部のみを幅広く編成度目を荒くし、爪先部の上下の生地を本縫ミシンにより縫製することで、該爪先部において５つの指袋を形成した。
【００１６】
また、本考案に係る足袋型靴下は、靴下編機のみで編成すると共に爪先部のみを幅広く編成度目を荒くし、爪先部の上下の生地を本縫ミシンにより縫製することで、該爪先部において２つの指袋を形成した。
【考案の効果】
【００１７】
本考案は上記のように靴下編機のみで編成されることから、すなわち従来例のように編地を移し替える必要がないことから、編成作業が容易なものとなるのである。
【００１８】
また、横編み機に比べ、靴下編機は複雑な柄を容易に編成可能であることから、本考案によれば複雑な柄を編成可能となり、ファッション性に富む五本指靴下或るいは足袋型靴下の製造が可能となるのである。
【００１９】
更には、本考案は、従来例のように足指を挿入する袋部を、爪先部分に分離した状態で設けるのではなく、爪先部分の上下の生地を本縫いミシンで縫製することで袋部を形成するものである。つまり、各袋部は分離した状態で存在するのではなく、見た目はある程度一体的に表れるものであり、従来例の見栄えの悪さをある程度解消可能なものである。
【図面の簡単な説明】
【００２０】
【図１】本考案の概略図
【図２】Ａ−Ａ線断面図
【図３】一般的な靴下の概略図
【図４】従来例の概略図
【図５】本考案に係る足袋型靴下の概略図
【考案を実施するための形態】
【００２１】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２２】
本考案に係る五本指靴下或るいは足袋型靴下は通常の靴下と同様に靴下編機（丸編み機）を用いて編成するものである。具体的編成方法を一般的に靴下を示した図を用いて概説する。
【００２３】
口ゴム部Ｘはゴム編みやゴム糸を挿入して編成することで伸縮性を大きくし、靴下のずれ落ちを防止する役目を果たす。
【００２４】
身部Ｙは任意の組織で編成する。
【００２５】
足部Ｚは更に踵部Ｚ１、足甲部Ｚ２、足底部Ｚ３及び爪先部Ｚ４の各部に分かれる。踵部Ｚ１はゴアラインを中心として目減らし・目増やしを行って編成する。足甲部Ｚ２及び足底部Ｚ３は任意の組織で編成する。最後に編成される爪先部Ｚ４は足底側から編成を始め、ゴアラインを中心として目減らし・目増やしを行って編成する。爪先部Ｚ４は編成終了時に爪先が開いているので、これを通常ダイヤル・リンキング機等によって目差しをして縫い合わせる。
【００２６】
上記のように本考案に係る五本指靴下１０及び足袋型靴下１４は、通常の靴下同様の編成方法で靴下編機により編成されるものであるが、本考案の特徴は、爪先部１１を更に本縫いミシンで縫製することにある。具体的には図１、図２や図５に示されるように、爪先部の上辺１１ａと下辺１１ｂを、爪先先端に向かう方向に存する４個或るいは１個の縫製部位１２で縫製することで、５個或るいは２個の指袋１３を形成するものである。
【符号の説明】
【００２７】
１０・・五本指靴下
１１・・爪先部
１２・・縫製部位
１３・・指袋
１４・・足袋型靴下
【図１】
0003185287.tif 000003
【図２】
0003185287.tif 000004
【図３】
0003185287.tif 000005
【図４】
0003185287.tif 000006
【図５】
0003185287.tif 000007